【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】
閃光発光装置を使用する撮像装置であって、
前記閃光発光装置の発光量を制御する発光量制御手段と、
色相または色飽和度を制御する色調整手段と、
前記発光量制御手段によって決定された発光量に従って色相または色飽和度を補正するように前記色調整手段を制御する第１の色相制御手段と、
を備えたことを特徴とする撮像装置。
【請求項２】
請求項１において、
被写体の色温度を検出する色温度検出手段と、
被写体の色温度に応じて前記色調整手段を制御する第２の色相制御手段とを備え、
前記第１の色相制御手段は前記第２の色相制御手段に対して補正を加えることを特徴とする撮像装置。
【請求項３】
請求項１において、
前記色調整手段は第１の色差信号を係数倍して第２の色差信号に加算し、第２の色差信号を係数倍して前記第１の色差信号に加算するマトリクス回路で構成されていることを特徴とする撮像装置。
【請求項４】
請求項１において、
前記第１の色相制御手段は、ホワイトバランスに応じた色相または色飽和度の制御とは独立して前記色相または色飽和度を補正することを特徴とする撮像装置。
【請求項５】
閃光発光装置を使用する撮像装置であって、
被写体の照度を検出する照度検出手段と、
色相または色飽和度を制御する色調整手段と、
前記照度検出手段によって検出された被写体照度に従って色相または色飽和度を補正すべく色調整手段を制御する第１の色相制御手段と、
を備えたことを特徴とする撮像装置。
【請求項６】
請求項５において、
被写体の色温度を検出する色温度検出手段と、
被写体の色温度に応じて前記色調整手段を制御する第２の色相制御手段とを備え、
前記第１の色相制御手段は前記第２の色相制御手段による補正値に対して補正を加えることを特徴とする撮像装置。
【請求項７】
請求項５において、
前記色調整手段は第１の色差信号を係数倍して第２の色差信号に加算し、該第２の色差信号を係数倍して前記第１の色差信号に加算するマトリクス回路で構成されることを特徴とする撮像装置。
【請求項８】
請求項５において、
前記第１の色相制御手段は、ホワイトバランスに応じた色相または色飽和度の制御と独立して前記色相または色飽和度を補正することを特徴とする撮像装置。
【請求項９】
閃光発光装置を使用する撮像装置であって、
被写体の色温度を検出する色温度検出手段と、
被写体の照度を検出する照度検出手段と、
閃光発光装置の発光量を制御する発光量制御手段と、
色相または色飽和度を制御する色調整手段と、
前記色温度検出手段によって検出された被写体の色温度に応じて色相または色飽和度を制御する第１の色相制御手段と、
前記照度検出手段によって検出された被写体照度と、かつ／または前記発光量制御手段によって決定された発光量にしたがって色相または色飽和度を補正すべく色調整手段を制御する第２の色相制御手段と、
を備えたことを特徴とする撮像装置。
【請求項１０】
請求項９において、
前記色調整手段は第１の色差信号を係数倍して第２の色差信号に加算し、第２の色差信号を係数倍して第１の色差信号に加算するマトリクス回路で構成されることを特徴とする撮像装置。
【請求項１１】
閃光発光装置を使用可能な撮像装置であって、
色相または色飽和度を制御する色調整手段と、
被写体の色温度を検出する色温度検出手段と、
前記色温度検出手段によって検出された被写体の色温度に応じて前記色調整手段を制御する第１の色相制御手段と、
前記閃光発光装置使用時の色補正用の色相情報を記憶するメモリ手段と、
前記メモリ手段に記憶されている色相情報によって前記色調整手段を制御し、前記閃光発光装置の使用時には、前記閃光発光装置用の色相情報を選択的に用いるように制御する第２の色相制御手段と、
を備えたことを特徴とする撮像装置。
【請求項１２】
請求項１１において、
前記色調整手段は、第１の色差信号を係数倍して第２の色差信号に加算し、該第２の色差信号を係数倍して前記第１の色差信号に加算するマトリクス回路で構成されることを特徴とする撮像装置。
【請求項１３】
閃光発光装置を使用する撮像装置であって、
被写体の色温度に応じてホワイトバランスを制御するホワイトバランス制御手段と、
色相または色飽和度を制御する色調整手段と、
前記ホワイトバランス制御手段によって生成されたホワイトバランス情報に応じて色調整手段を制御するとともに、前記被写体の照度若しくは前記閃光発光装置の発光量に応じて前記色調整手段を制御する色相制御手段と、
を備えたことを特徴とする撮像装置。
【請求項１４】
請求項１３において、
前記色調整手段は第１の色差信号を係数倍して第２の色差信号に加算し、該第２の色差信号を係数倍して第１の色差信号に加算するマトリクス回路で構成されることを特徴とする撮像装置。
【請求項１５】
閃光発光装置を使用する撮像装置であって、
色相または色飽和度を制御する色調整手段と、
被写体の色温度に応じてホワイトバランスを制御するホワイトバランス制御手段と、
前記閃光発光装置を使用する場合に色相または色飽和度を補正するように色調整手段を制御する色相制御手段と、
を備え、
前記色相制御手段は、前記ホワイトバランス制御手段によるホワイトバランスに応じた色相または色飽和度の制御とは独立して前記色相または色飽和度を補正することを特徴とする撮像装置。
【請求項１６】
請求項１５において、
前記色相制御手段は、前記閃光発光装置を使用するときの色相または色飽和度の補正データと、前記閃光発光装置を使用しないときの色相または色飽和度の補正データとを有し、前記閃光発光装置の使用、非使用に応じて切り換え制御するように構成されていることを特徴とする撮像装置。
【手続補正２】
【補正対象書類名】明細書
【補正対象項目名】００１７
【補正方法】変更
【補正の内容】
【００１７】
【課題を解決するための手段】
上記の課題を解決するために、本発明における請求項１に記載の発明によれば、閃光発光装置（実施例では閃光装置１１４）を使用する撮像装置であって、前記閃光発光装置の発光量を制御する発光量制御手段（実施例ではストロボ制御回路１１５）と、色相または色飽和度を制御する色調整手段（実施例ではリニアマトリクス回路１０９及び／または利得制御回路１１０）と、前記発光量制御手段によって決定された発光量に従って前記色調整手段を制御し、色相または色飽和度を補正するように制御する第１の色相制御手段（実施例では色相補正回路Ｂ１１６）とを備えた撮像装置を特徴とする。
【手続補正３】
【補正対象書類名】明細書
【補正対象項目名】００１９
【補正方法】変更
【補正の内容】
【００１９】
本願における請求項３に記載の発明によれば、請求項１に記載の発明において、前記色調整手段が、第１の色差信号（実施例ではＲ−Ｙ）を係数倍して第２の色差信号（実施例ではＢ−Ｙ）に加算し、該第２の色差信号を係数倍して前記第１の色差信号に加算するマトリクス回路（実施例ではリニアマトリクス回路１０９）で構成された撮像装置を特徴とする。
本願における請求項４に記載の発明によれば、請求項１に記載の発明において、前記第１の色相制御手段は、ホワイトバランスに応じた色相または色飽和度の制御とは独立して前記色相または色飽和度を補正するように構成された撮像装置を特徴とする。
【手続補正４】
【補正対象書類名】明細書
【補正対象項目名】００２０
【補正方法】変更
【補正の内容】
【００２０】
本願における請求項５に記載の発明によれば、閃光発光装置（実施例では閃光装置１１４）を使用する撮像装置であって、被写体の照度を検出する照度検出手段（実施例では輝度生成回路１０４）と、色相または色飽和度を制御する色調整手段（実施例ではリニアマトリクス回路１０９及び／または利得制御回路１１０）と、前記照度検出手段によって検出された被写体照度に従って色相または色飽和度を補正すべく前記色調整手段を制御する第１の色相制御手段（実施例では色補正回路Ｂ１１６）とを備えた撮像装置を特徴とする。
【手続補正５】
【補正対象書類名】明細書
【補正対象項目名】００２１
【補正方法】変更
【補正の内容】
【００２１】
本願における請求項６に記載の発明によれば、請求項５に記載の発明において、被写体の色温度を検出する色温度検出手段（実施例ではホワイトバランス制御回路１１２）と、被写体の色温度に応じて前記色調整手段を制御する第２の色相制御手段（実施例では色補正回路Ａ１１３）とを備え、前記第１の色相制御手段は前記第２の色相制御手段による補正値に対して補正を加えるように構成された撮像装置を特徴とする。
【手続補正６】
【補正対象書類名】明細書
【補正対象項目名】００２２
【補正方法】変更
【補正の内容】
【００２２】
本願における請求項７に記載の発明によれば、請求項５に記載の発明において、前記色調整手段が、第１の色差信号（実施例ではＲ−Ｙ）を係数倍して第２の色差信号（実施例ではＢ−Ｙ）に加算し、該第２の色差信号を係数倍して前記第１の色差信号に加算するマトリクス回路（実施例ではリニアマトリクス回路１０９）で構成された撮像装置を特徴とする。
本願における請求項８に記載の発明によれば、請求項５に記載の発明において、前記第１の色相制御手段は、ホワイトバランスに応じた色相または色飽和度の制御と独立して前記色相または色飽和度を補正するように構成された撮像装置を特徴とする。
【手続補正７】
【補正対象書類名】明細書
【補正対象項目名】００２３
【補正方法】変更
【補正の内容】
【００２３】
本願における請求項９に記載の発明によれば、閃光発光装置（実施例では閃光装置１１４）を使用する撮像装置であって、被写体の色温度を検出する色温度検出手段（実施例ではホワイトバランス制御回路１１２）と、被写体の照度を検出する照度検出手段（実施例では輝度生成回路１０４）と、閃光発光装置の発光量を制御する発光量制御手段（実施例ではストロボ制御回路１１５）と、色相または色飽和度を制御する色調整手段（実施例ではリニアマトリクス回路１０９及び／または利得制御回路１１０）と、前記色温度検出手段によって検出された被写体の色温度に応じて色相または色飽和度を制御する第１の色相制御手段（実施例では色補正回路Ａ１１３）と、前記照度検出手段によって検出された被写体照度と、かつ／または前記発光量制御手段によって決定された発光量にしたがって色相または色飽和度を補正すべく前記色調整手段を制御する第２の色相制御手段（実施例では色補正回路Ｂ１１６）とを備えた撮像装置を特徴とする。
【手続補正８】
【補正対象書類名】明細書
【補正対象項目名】００２４
【補正方法】変更
【補正の内容】
【００２４】
本願における請求項１０に記載の発明によれば、請求項９に記載の発明において、前記色調整手段が、第１の色差信号（実施例ではＲ−Ｙ）を係数倍して第２の色差信号（実施例ではＢ−Ｙ）に加算し、該第２の色差信号を係数倍して前記第１の色差信号に加算するマトリクス回路（実施例ではリニアマトリクス回路１０９）で構成された撮像装置を特徴とする。
【手続補正９】
【補正対象書類名】明細書
【補正対象項目名】００２５
【補正方法】変更
【補正の内容】
【００２５】
本願における請求項１１に記載の発明によれば、閃光発光装置（実施例では閃光装置１１４）を使用可能な撮像装置であって、色相または色飽和度を制御する色調整手段（実施例ではリニアマトリクス回路１０９及び／または利得制御回路１１０）と、被写体の色温度を検出する色温度検出手段（実施例ではホワイトバランス制御回路１１２）と、前記色温度検出手段によって検出された被写体の色温度に応じて前記色調整手段を制御する第１の色相制御手段（実施例では色補正回路Ａ１１３）と、
前記閃光発光装置使用時の色補正用の色相情報を記憶するメモリ手段（実施例ではメモリ１１７）と、前記メモリ手段に記憶されている色相情報によって前記色調整手段を制御し、前記閃光発光装置の使用時には、前記閃光発光装置用の色相を選択的に用いるように制御する第２の色相制御手段（実施例では色補正回路Ｂ１１６）とを備えた撮像装置を特徴とする。
【手続補正１０】
【補正対象書類名】明細書
【補正対象項目名】００２６
【補正方法】変更
【補正の内容】
【００２６】
本願における請求項１２に記載の発明によれば、請求項１１に記載の発明において、前記色調整手段が、第１の色差信号（実施例ではＲ−Ｙ）を係数倍して第２の色差信号（実施例ではＢ−Ｙ）に加算し、該第２の色差信号を係数倍して前記第１の色差信号に加算するマトリクス回路（実施例ではリニアマトリクス回路１０９）で構成された撮像装置を特徴とする。
【手続補正１１】
【補正対象書類名】明細書
【補正対象項目名】００２７
【補正方法】変更
【補正の内容】
【００２７】
本願における請求項１３に記載の発明によれば，閃光発光装置（実施例では閃光装置１１４）を使用する撮像装置であって、被写体の色温度に応じてホワイトバランスを制御するホワイトバランス制御手段（実施例ではホワイトバランス制御回路１１２）と、色相または色飽和度を制御する色調整手段（実施例ではリニアマトリクス回路１０９及び／または利得制御回路１１０）と、前記ホワイトバランス制御手段によって生成されたホワイトバランス情報に応じて色調整手段を制御するとともに、前記被写体の照度若しくは前記閃光発光装置の発光量に応じて前記色調整手段を制御する色相制御手段（実施例では色補正回路Ａ１１３及び色補正回路Ｂ１１６）とを備えた撮像装置を特徴とする。
【手続補正１２】
【補正対象書類名】明細書
【補正対象項目名】００２８
【補正方法】変更
【補正の内容】
【００２８】
本願における請求項１４に記載の発明によれば、請求項１３に記載の発明において、前記色調整手段は第１の色差信号を係数倍して第２の色差信号に加算し、該第２の色差信号を係数倍して第１の色差信号に加算するマトリクス回路（実施例ではリニアマトリクス回路１０９）で構成された撮像装置を特徴とする。
【手続補正１３】
【補正対象書類名】明細書
【補正対象項目名】００２９
【補正方法】変更
【補正の内容】
【００２９】
本願における請求項１５に記載の発明によれば、閃光発光装置（実施例では閃光装置１１４）を使用する撮像装置であって、色相または色飽和度を制御する色調整手段（実施例ではリニアマトリクス回路１０９及び／または利得制御回路１１０）と、被写体の色温度に応じてホワイトバランスを制御するホワイトバランス制御手段（実施例では、ホワイトバランス制御回路１１２）と、前記閃光発光装置を使用する場合に色相または色飽和度を補正するように色調整手段を制御する色相制御手段（実施例では色補正回路３１７）を備え、前記色相制御手段は、前記ホワイトバランス制御手段によるホワイトバランスに応じた色相または色飽和度の制御とは独立して前記色相または色飽和度を補正するように構成した撮像装置を特徴とする。
【手続補正１４】
【補正対象書類名】明細書
【補正対象項目名】００３０
【補正方法】変更
【補正の内容】
【００３０】
本願における請求項１６に記載の発明によれば、請求項１５に記載の発明において、前記色相制御手段（実施例では色補正回路３１７）は、前記閃光発光装置を使用するときの色相または色飽和度の補正データ（色相データＢ）と、前記閃光発光装置を使用しないときの色相または色飽和度の補正データ（色相データＡ）とを有し、前記閃光発光装置の使用、非使用に応じて切り換え制御するように構成された撮像装置を特徴とする。